(57)【要約】【課題】  音楽に聞き入ったり、眠っていたりしている場合であっても、回りに迷惑をかけることなしに確実に降車駅の案内を報知することができる、乗り過ごし防止機能付き小型音楽プレーヤを提供する。【解決手段】  所要の降車駅の駅識別コードおよび音声案内データを記憶するための記憶装置と、駅識別信号を受信するための受信装置と、受信した駅識別信号中の駅識別コードと記憶装置の駅識別コードとを比較するための判別装置と、受信した駅識別コードと記憶された駅識別コードとが一致したときに当該駅の音声案内データを記憶装置から抽出して音声案内信号に変換するための変換装置と、受信した駅識別コードと記憶された駅識別コードとが一致したときにポータブル音楽プレーヤの再生を一時的に中断すると共に変換された音声案内信号を音声として出力するための割込み装置とを備えている。【選択図】  図１
2006277203.tif 000002
【特許請求の範囲】
【請求項１】
所要の降車駅の駅識別コードと当該駅識別コードの音声案内データとを記憶するための記憶装置と、駅識別信号を受信するための受信装置と、受信した駅識別信号に含まれた駅識別コードと記憶装置に記憶された所要の降車駅の駅識別コードとを比較するための判別装置と、受信した駅識別コードと記憶された駅識別コードとが一致したときに当該駅識別コードに対応する音声案内データを記憶装置から抽出して音声案内信号に変換するための変換装置と、受信した駅識別コードと記憶された駅識別コードとが一致したときにポータブル音楽プレーヤの再生を一時的に中断すると共に変換された音声案内信号を音声として出力するための割込み装置とを備える、乗り過ごし防止機能付きポータブル音楽プレーヤ。
【請求項２】
前記割込み装置は、再生中断時における音楽データの読取り中断位置を記憶させ、再生再開時には当該読取り中断位置から再生を開始させる、請求項１に記載の乗り過ごし防止機能付きポータブル音楽プレーヤ。
【発明の詳細な説明】
【技術分野】
【０００１】
本発明は、例えば、ＭＤ、ＣＤ、メモリカード、不揮発メモリ、小型ハードディスク等の記憶媒体を内蔵したポータブルタイプのデジタルオーディオプレーヤ（以下、これを「ポータブル音楽プレーヤ」と言う。）に関し、特に、電車や路線バス等の公共交通機関を利用しているときに、不用意に降車予定駅を通過してしまうのを防止することができる、乗り過ごし防止機能を備えた小型音楽プレーヤに関するものである。なお、本説明において、記憶媒体に記憶される音楽データは、必ずしも音楽に限定されるものではなく、映画、英会話の教材、読み上げ式の小説等、記憶媒体に記憶されて再生される種々のデータを含む。
【背景技術】
【０００２】
近年、ポータブル音楽プレーヤの普及に伴って、電車やバス等の利用中でも音楽を楽しむことができるようになっている。その一方で、イヤフォンやヘッドフォンから音洩れの問題から、最近では密閉型のイヤフォンやヘッドフォンの使用が増えている。このため、音楽に聞き入って降車予定駅の案内アナウンスを聞き逃したり、リラックスして寝てしまい、降車予定駅を寝過ごしたりする場合も少なからず生じている。
【０００３】
このような乗り過ごしを防止するための手段として、各駅毎に発信される駅識別コードを受信し、受信した駅識別コードと記憶装置に記録された降車予定駅の駅識別コードとが一致したとき、表示器に表示したり、ブザーを鳴らしたりして降車予定駅に到着したことを知らせることができる乗継指示装置が提案されている（例えば、特許文献１参照）。また、到達距離が短い無線信号によって発信装置の設置位置の位置データを発信し、受信した位置データと記憶装置に記録された位置データとを照合して現在位置を認識し、降車予定駅に到着したことや乗換えホームの案内等の案内情報を報知することができる経路案内システムが提案されている（例えば、特許文献２参照）。
【特許文献１】特開平５−２８２３１７号公報
【特許文献２】特開２００２−３０２０４２号公報
【発明の開示】
【発明が解決しようとする課題】
【０００４】
しかしながら、これら提案されている装置やシステムの場合、専用の携帯型端末装置を必要とするだけでなく、降車予定駅に到着したことを知らせる手段として、端末装置に装備された表示器やブザーを用いて知らせているため、音楽に聞き入ったり、眠っていたりして案内アナウンスを聞き逃し易い状況下にある場合、表示器による表示は見逃し易く、また、聞き逃すことのないようにブザー等の警告音の音量を大きくすることは回りの乗客の迷惑になるため、予め音量を絞っておかばならず、聞き逃す可能性が高いものであった。
【０００５】
従って、本発明は、音楽に聞き入ったり、眠っていたりしている場合であっても、回りに迷惑をかけることなしに確実に降車駅の案内を報知することができる、乗り過ごし防止機能付き小型音楽プレーヤを提供しようとするものである。
【課題を解決するための手段】
【０００６】
本発明による乗り過ごし防止機能付きポータブル音楽プレーヤは、基本的にはポータブル式の小型音楽プレーヤである。そして、乗り過ごし防止機能を具備するために、所要の降車駅の駅識別コードと当該駅識別コードの音声案内データとを記憶するための記憶装置と、駅識別信号を受信するための受信装置と、受信した駅識別信号に含まれた駅識別コードと記憶装置に記憶された所要の降車駅の駅識別コードとを比較するための判別装置と、受信した駅識別コードと記憶された駅識別コードとが一致したときに当該駅識別コードに対応する音声案内データを記憶装置から抽出して音声案内信号に変換するための変換装置と、受信した駅識別コードと記憶された駅識別コードとが一致したときにポータブル音楽プレーヤの再生を一時的に中断すると共に変換された音声案内信号を音声として出力するための割込み装置とを備えている。
【０００７】
受信装置が駅識別信号を受信すると、判別装置は駅識別信号により送られてきた駅識別コードが記憶装置に記憶された駅識別コードと一致するかを判別し、駅識別コードが一致するとき、その駅識別コードに対応する音声案内データを記憶装置から抽出して変換装置に送ると共に、割込み装置により音楽プレーヤの再生を一時的に中断し、送られてきた音声案内データを変換装置により音声案内信号に変換して音楽プレーヤへ送り、音声案内を行う。
【０００８】
本発明による乗り過ごし防止機能付きポータブル音楽プレーヤはまた、割込み装置が、再生中断時における音楽データの読取り中断位置を記憶させ、再生再開時には当該読取り中断位置から再生を開始させるようにも構成できる。
【発明の効果】
【０００９】
本発明によれば、所要の降車駅がきたとき、音楽プレーヤの再生を一時的に中断して音声案内が行われるため、音楽に聞き入ったり、眠っていたりしている場合であっても、確実に降車駅を知ることができ、また、音楽プレーヤから音声案内が行われるため、不要な警報音や音声を発して回りに迷惑をかける虞を確実に回避できる。また、再生中断時からの再生再開が可能であるため、映画を鑑賞している場合や英会話を勉強している場合のように、実質的に連続した再生を必要とする場合に対応することができる。
【発明を実施するための最良の形態】
【００１０】
図１に示すように、本発明の実施例による乗り過ごし防止機能付きポータブル音楽プレーヤは、周知のポータブル音楽プレーヤと同様に、音楽データを記憶するための記憶媒体１と、記憶媒体１から音楽データを読み取るための読取装置２と、読み取った音楽データを音楽信号に変換するためのコンバータ３と、音楽信号を所要のレベルまで増幅するためのアンプ４とを備えている。記憶媒体１としては、従来のカセットやＣＤ−ＲＯＭなどの着脱自在とした記憶媒体の他、ハードディスクのような内蔵される記憶媒も含んでいる。このような内蔵型の記憶媒体に記憶される音楽データは、インターネットなどの通信回線やパソコンからのＵＳＢポートによる通信によって、外部からダウンロードするといった形態で記憶される。また、この実施の形態では、音楽プレーヤを音楽のみを再生するプレーヤとして例示するが、本発明はこれに限定されるものではない。即ち、音楽と映像を再生するＤＶＤプレーヤも含む。
【００１１】
本発明の特色である乗り過ごし防止機能を有するために、本発明のポータブル音楽プレーヤは、所要の降車駅の駅識別コードと当該駅識別コードの音声案内データとを記憶するための記憶装置５と、駅識別信号を受信するための受信装置６と、受信した駅識別信号に含まれた駅識別コードと記憶装置５に記憶された所要の降車駅の駅識別コードとを比較するための判別装置７と、受信した駅識別コードと記憶された駅識別コードとが一致したときに当該駅識別コードに対応する音声案内データを記憶装置５から抽出して音声案内信号に変換するための変換装置８と、受信した駅識別コードと記憶された駅識別コードとが一致したときにポータブル音楽プレーヤの音楽再生を一時的に中断すると共に変換された音声案内信号を音声として出力するための割込み装置９とを更に備えている。
【００１２】
ここにおいて、記憶装置５は、ポータブル音楽プレーヤが記憶媒体１への書込み手段を有する場合、音楽データのための記憶媒体１と共用することもできる。記憶装置５への駅識別コードの書込みは、パソコンに接続する等して直接入力することも可能である。しかし、音声案内データを作成することは個人にとって容易ではないので、インターネット上で、或いはデータ配布用端末を駅等に設け、そこで各駅の駅識別コードと音声案内データを入力できるように構成するのが好ましい。また、記憶装置５へ記憶される駅識別コードおよび音声案内データは、必ずしも所要の駅のみに限定されるものではなく、例えば、利用する路線のすべての駅のデータを記憶させておき、音声案内を必要とする駅を指定できるように構成することもできる。受信装置６への駅識別信号の送信は、赤外線通信、ブルートゥース、多重音波放送等により行うことができる。
【００１３】
上述の如く構成される本発明の乗り過ごし防止機能付きポータブル音楽プレーヤの使用方法は、図２に示すように、所要の駅の駅識別コードと音声案内データを記憶装置５へ予め記憶させる（ステップ１）ことから始まる。公共交通機関を利用するとき、電源を入れて待機状態にする（ステップ２）。受信装置６が駅識別信号を受信したとき（ステップ３）、判別装置７は、駅識別信号により送られてきた駅識別コードと記憶装置５記憶された所要の駅の駅識別コードとが同一であるか否かを判別し（ステップ４）、両駅識別コードが異なるときは、そのまま待機状態を保持する。両駅識別コードが同一であるとき、判別装置７は変換装置８に制御信号を送り、受信した駅識別コードに対応する音声案内データを記憶装置５から抽出し（ステップ５）、音声案内信号に変換する（ステップ６）。それと同時に、判別装置７は割込み装置９にも制御信号を送り、ポータブル音楽プレーヤの音楽再生を一時的に中断する（ステップ７）。
【００１４】
ここにおいて、ポータブル音楽プレーヤの音楽再生の一時的な中断は、読取装置２の記憶媒体１からの音楽データの読取りを停止させる場合と、コンバータ３の音楽データから音楽信号への変換を停止させる場合或いはアンプ４をミュート状態または低出力状態にする場合がある。前者の場合、音声案内信号の出力が終了したとき、停止時の位置から音楽再生を開始するのに対し、後者の場合、音声案内信号の出力中も音楽再生が進むことになる。音楽再生の再生再開時の位置については、使用者の好み或いは音楽の内容等に応じて使い分けることができるように構成するのが好ましい。また、上述の音楽データの読取り停止により中断する場合、読取装置２は、停止アドレス位置を記憶しておき（ステップ８）、変換装置８からの音声案内信号を出力して音声案内を開始し（ステップ９）、そして、音声案内が終了すると（ステップ１０）、その停止アドレス位置を読み出し（ステップ１１）、その位置から再生を開始する（ステップ１２）のが望ましい。これにより、一旦、駅への到着を知らせるために音楽を中断しても、次に再生する場合には、中断した位置からの再生が開始されるので、使用者がその中断されたときの位置を探す手間が省けるといった利点がある。また、例えば、ＤＶＤを視聴している場合や英会話などの勉強をしていた場合、中断されたところから再生が開始するため、違和感なしに観賞や勉強を行うことできる。
【００１５】
このような本ポータブル音楽プレーヤの動きを使用者の側から見ると、記憶媒体１に記憶された音楽データを再生して音楽を楽しんでいるときに、所要の駅が近づくと、本ポータブル音楽プレーヤからの音楽が一時的に中断されて音声案内が行われることになる。このことは、音楽に聞き入っていた場合であっても、確実に音声案内を聞くことができ、眠っていた場合であっても、不連続な音の流れを聞くことになるため、眠りから覚める確率は非常に高く、乗り過ごしを未然に回避することができる。また、常識的に、回りに迷惑をかけない音量で音楽を楽しんむのが当然であるため、音声案内もまた回りに迷惑をかけることはない。
【産業上の利用可能性】
【００１６】
本発明は、音楽再生機能を備えた携帯電話、デジタルカメラ、ビデオカメラ、モバイル等の携帯用電子機器に対しても、基本的に、そのまま利用することができる。
【図面の簡単な説明】
【００１７】
【図１】本発明の実施例による乗り過ごし防止機能付きポータブル音楽プレーヤの基本的な構成を示すブロック図である。
【図２】図１に示すポータブル音楽プレーヤのフローチャートである。
【符号の説明】
【００１８】
１    記憶媒体                    ２    読取装置
３    コンバータ                  ４    アンプ
５    記憶装置                    ６    受信装置
７    判別装置                    ８    変換装置
９    割込み装置
【図１】
2006277203.tif 000003
【図２】
2006277203.tif 000004